(57)【要約】【課題】第１加熱源で加熱された湯水を貯留するタンクと、タンクから給湯箇所へ送られる湯水を加熱する第２加熱源を備える給湯システムにおいて、第２加熱源による加熱の要否を正確にユーザに把握させることが可能な技術を提供する。【解決手段】本明細書が開示する給湯システムは、湯水を加熱する第１加熱源と、第１加熱源で加熱された湯水を貯留するタンクと、タンクから供給できる湯水の温度を取得する湯温取得手段と、タンクから給湯箇所へ送られる湯水を加熱する第２加熱源と、タンク貯湯量を含むシステム状態を表示する表示装置を備えている。その給湯システムでは、タンクから供給できる湯水の温度が給湯設定温度に基づく基準温度よりも高い場合には、表示装置がシステム状態を第１の表示態様で表示し、タンクから供給できる湯水の温度が基準温度よりも低い場合には、表示装置がシステム状態を第２の表示態様で表示する。【選択図】図３
2015096775.tif 000002
【特許請求の範囲】
【請求項１】
湯水を加熱する第１加熱源と、
第１加熱源で加熱された湯水を貯留するタンクと、
タンクから供給できる湯水の温度を取得する湯温取得手段と、
タンクから給湯箇所へ送られる湯水を加熱する第２加熱源と、
タンク貯湯量を含むシステム状態を表示する表示装置を備える給湯システムであって、
タンクから供給できる湯水の温度が給湯設定温度に基づく基準温度よりも高い場合には、表示装置がシステム状態を第１の表示態様で表示し、タンクから供給できる湯水の温度が基準温度よりも低い場合には、表示装置がシステム状態を第２の表示態様で表示する、給湯システム。
【請求項２】
タンク貯湯量が基準湯量よりも少ない場合に、タンクから供給できる湯水の温度が基準温度よりも高い場合であっても、表示装置がシステム状態を第２の表示態様で表示する、請求項１の給湯システム。
【請求項３】
前回の給湯終了からの経過時間が基準時間を超える場合に、タンクから供給できる湯水の温度が基準温度よりも高い場合であっても、表示装置がシステム状態を第２の表示態様で表示する、請求項１または２の給湯システム。
【請求項４】
環境温度を取得する環境温度取得手段をさらに備えており、
基準湯量および／または基準時間が環境温度に応じて変更される、請求項２または３の給湯システム。
【発明の詳細な説明】
【技術分野】
【０００１】
本明細書で開示する技術は、給湯システムに関する。
【背景技術】
【０００２】
特許文献１には、湯水を加熱する第１加熱源と、第１加熱源で加熱された湯水を貯留するタンクと、タンクから給湯箇所へ送られる湯水を加熱する第２加熱源と、タンク貯湯量を含むシステム状態を表示する表示装置を備える給湯システムが開示されている。この給湯システムでは、第１加熱源によって加熱された湯水の残量がタンク貯湯量として表示されるため、ユーザは給湯によって消費するエネルギーが第１加熱源に由来するものであるのか、第２加熱源に由来するものであるのかを、適切に把握することができる。
【先行技術文献】
【特許文献】
【０００３】
【特許文献１】特開２０１１−１４９６５６号公報
【発明の概要】
【発明が解決しようとする課題】
【０００４】
上記のような給湯システムでは、タンクに十分な貯湯量が残っているにも関わらず、第２加熱源による加熱を行わなければならない場合が存在する。例えば、タンクからの自然放熱や給湯設定温度の変更によって、タンクから供給できる湯水の温度が給湯設定温度よりも低くなってしまった場合には、タンクに十分な貯湯量が残っている場合であっても、給湯設定温度での給湯を行うためには第２加熱源による加熱を行う必要が生じる。多くの給湯システムのユーザは、タンクに十分な貯湯量が残っていれば、第２加熱源による加熱は不要と考えているため、上記のような場合に、ユーザに奇異な印象を与えてしまう。第２加熱源による加熱の要否を、正確にユーザに把握させることが可能な技術が期待されている。
【０００５】
本明細書では、第１加熱源で加熱された湯水を貯留するタンクと、タンクから給湯箇所へ送られる湯水を加熱する第２加熱源を備える給湯システムにおいて、第２加熱源による加熱の要否を正確にユーザに把握させることが可能な技術を提供する。
【課題を解決するための手段】
【０００６】
本明細書が開示する給湯システムは、湯水を加熱する第１加熱源と、第１加熱源で加熱された湯水を貯留するタンクと、タンクから供給できる湯水の温度を取得する湯温取得手段と、タンクから給湯箇所へ送られる湯水を加熱する第２加熱源と、タンク貯湯量を含むシステム状態を表示する表示装置を備えている。その給湯システムでは、タンクから供給できる湯水の温度が給湯設定温度に基づく基準温度よりも高い場合には、表示装置がシステム状態を第１の表示態様で表示し、タンクから供給できる湯水の温度が基準温度よりも低い場合には、表示装置がシステム状態を第２の表示態様で表示する。なお、ここでいうタンク貯湯量とは、タンクに貯留されている湯水のうち、所定の下限温度以上の温度を有する湯水の量をいう。例えば、タンクに貯留されている湯水のうち、給湯設定温度として設定可能な下限温度以上の温度を有する湯水の量を、タンク貯湯量としてもよい。あるいは、タンクに貯留されている湯水のうち、水道等の外部の給水源からの給水温度以上の温度を有する湯水の量を、タンク貯湯量としてもよい。
【０００７】
上記の給湯システムでは、タンクから供給できる湯水の温度が基準温度以上の場合と、タンクから供給できる湯水の温度が基準温度未満の場合とで、システム状態の表示態様を異なるものとする。基準温度は、給湯設定温度に基づいて特定される。基準温度は、例えば給湯設定温度そのものであってもよいし、給湯設定温度に所定温度を加えた温度であってもよい。タンクから供給できる湯水の温度が基準温度以上であれば、当面は第２加熱源による加熱を行うことなく給湯設定温度で給湯を行うことが可能である。逆に、タンクから供給できる湯水の温度が基準温度未満であれば、給湯設定温度での給湯を行うために第２加熱源による加熱が必要となる。そこで、上記の給湯システムでは、タンクから供給できる湯水の温度が基準温度以上の場合に、表示装置がシステム状態を第１の表示態様で表示し、タンクから供給できる湯水の温度が基準温度未満の場合に、表示装置がシステム状態を第２の表示態様で表示する。このような構成とすることにより、ユーザはシステム状態の表示態様から、給湯システムが第２加熱源による加熱を行うことなく給湯可能であるか否かを正確に把握することができる。
【０００８】
上記の給湯システムは、タンク貯湯量が基準湯量よりも少ない場合に、タンクから供給できる湯水の温度が基準温度よりも高い場合であっても、表示装置がシステム状態を第２の表示態様で表示するように構成することができる。
【０００９】
給湯システムの給湯運転においては、タンクから供給できる湯水の温度が基準温度以上であっても、第２加熱源による加熱を行う場合がある。仮に、タンクの高温の湯水を使いきってから第２加熱源による加熱に切り替えると、第２加熱源の配管群が冷えてしまっている場合には、給湯温度が一時的に低下してしまう。これに対応するため、タンクにまだ少し高温の湯水が残っている時点から第２加熱源による加熱を行って、第２加熱源の配管群をタンクからの湯水で暖めるようにすれば、タンクの湯切れが生じた時の給湯温度の低下を防ぐことができる。従って、給湯運転において、タンクの貯湯量が基準湯量よりも少ない場合には、タンクから供給できる湯水の温度が基準温度以上であっても、第２加熱源による加熱を行うことがある。このような場合に、タンクから供給できる湯水の温度が基準温度以上であっても、表示装置がシステム状態を第２の表示態様で表示することで、第２加熱源による加熱の要否をシステム状態の表示態様に正確に反映させることができる。
【００１０】
上記の給湯システムは、前回の給湯終了からの経過時間が基準時間を超える場合に、タンクから供給できる湯水の温度が基準温度よりも高い場合であっても、表示装置がシステム状態を第２の表示態様で表示するように構成することができる。
【００１１】
前回の給湯運転からある程度の時間が経過した場合、第２加熱源の配管群が冷えてしまっていることが想定される。このため、前回の給湯運転からある程度の時間が経過している場合に、タンクから供給できる湯水の温度が基準温度以上であっても、第２加熱源による加熱を行うことで、タンクからの湯水で第２加熱源の配管群を暖めることができる。このような場合に、タンクから供給できる湯水の温度が基準温度以上であっても、表示装置がシステム状態を第２の表示態様で表示することで、第２加熱源による加熱の要否をシステム状態の表示態様に正確に反映させることができる。
【００１２】
上記の給湯システムは、環境温度を取得する環境温度取得手段をさらに備えており、基準湯量および／または基準時間が環境温度に応じて変更されるように構成することができる。
【００１３】
上記のように、タンクの貯湯量が基準湯量よりも少ない場合や、前回の給湯運転の終了からの経過時間が基準時間を超える場合に、第２加熱源による加熱を行うように給湯システムが構成されている場合、給湯システムの環境温度に応じて、基準湯量や基準時間が変更されることがある。ここでいう環境温度は、例えば外気温度であってもよいし、外部の給水源からの給水温度であってもよい。例えば、環境温度が所定温度よりも低い場合に、基準湯量をより多い湯量とし、および／または、基準時間をより短い時間とすることで、第２加熱源による加熱が適切なタイミングで開始される。このような場合に、環境温度に応じて変更された基準湯量および／または基準時間に基づいて、システム状態の表示態様を特定することで、第２加熱源による加熱の要否をシステム状態の表示態様に正確に反映させることができる。
【図面の簡単な説明】
【００１４】
【図１】実施例に係る給湯システム２の構成を模式的に示す図。
【図２】実施例に係るリモコン７６の外観を示す図。
【図３】実施例に係る貯湯アイコン１０４の表示態様の例を示す図。
【図４】実施例に係る貯湯アイコン１０４の表示態様の別の例を示す図。
【図５】実施例に係る貯湯アイコン１０４の表示態様のさらに別の例を示す図。
【発明を実施するための形態】
【００１５】
（実施例）
図１に示すように、本実施例に係る給湯システム２は、ＨＰ（ヒートポンプ）ユニット４と、タンクユニット６と、バーナユニット８を備えている。
【００１６】
ＨＰユニット４は、外気から吸熱して水を加熱する熱源である。ＨＰユニット４は、圧縮機１０と、凝縮器１２と、膨張弁１４と、蒸発器１６を備えている。圧縮機１０は、冷媒を加圧して高温高圧にする。凝縮器１２は、水との熱交換により冷媒を冷却する。膨張弁１４は、冷媒を減圧して低温低圧にする。蒸発器１６は、外気との熱交換により冷媒を加熱する。ＨＰユニット４は、冷媒（例えばフロン系冷媒）を、圧縮機１０、凝縮器１２、膨張弁１４、蒸発器１６の順に循環させることで、外気から吸熱して水を加熱する。ＨＰユニット４はさらに、凝縮器１２に水を循環させる循環ポンプ１８と、凝縮器１２に流れ込む水の温度を検出する戻りサーミスタ２０と、凝縮器１２から流れ出る水の温度を検出する往きサーミスタ２２と、外気温度を検出する外気温度サーミスタ２３と、ＨＰユニット４の各構成要素の動作を制御するＨＰコントローラ２４を備えている。
【００１７】
タンクユニット６は、タンク３０と、混合弁３２と、バイパス制御弁３４を備えている。タンク３０は、外側が断熱材で覆われており、内部に水を蓄える密閉型の容器である。本実施例のタンク３０の容量は、例えば１００リットルである。ＨＰユニット４の循環ポンプ１８が駆動すると、タンク３０の底部から水が吸い出されて凝縮器１２へ送られる。凝縮器１２で加熱されて高温となった水は、タンク３０の頂部からタンク３０内に戻される。ＨＰユニット４によって加熱された水がタンク３０に流れ込むと、タンク３０の内部には、低温の水の層の上に高温の水の層が積み重なった温度成層が形成される。タンク３０には、上部の水の温度を検出する上部サーミスタ３６と、中間部の水の温度を検出する中間部サーミスタ３７と、下部の水の温度を検出する下部サーミスタ３８が取り付けられている。本実施例では、上部サーミスタ３６はタンク３０の頂部から６リットルの位置に配置されており、中間部サーミスタ３７はタンク３０の頂部から１２リットルの位置に配置されており、下部サーミスタ３８はタンク３０の頂部から３０リットルの位置に配置されている。
【００１８】
タンクユニット６には、給水経路４０を介して水道水が供給される。給水経路４０には、給水圧力を減圧する減圧弁４２と、給水温度を検出する入水サーミスタ４４が取り付けられている。給水経路４０は、タンク３０の底部に連通するタンク給水経路４６と、混合弁３２に連通するタンクバイパス経路４８に分岐している。タンク給水経路４６とタンクバイパス経路４８には、それぞれ逆止弁５０，５２が取り付けられている。また、タンクバイパス経路４８には、混合弁３２に流入する水道水の流量を検出する水側水量センサ５４が取り付けられている。タンク３０の頂部と混合弁３２は、タンク出湯経路５６を介して連通している。タンク出湯経路５６には、逆止弁５８と、混合弁３２に流入するタンク３０からの水の流量を検出する湯側水量センサ６０が取り付けられている。
【００１９】
混合弁３２は、タンクバイパス経路４８から流れ込む水道水と、タンク出湯経路５６から流れ込むタンク３０からの水を混合して、第１給湯経路６２に送り出す。混合弁３２は、ステッピングモータによって弁を駆動し、タンクバイパス経路４８側の開度（水側の開度）と、タンク出湯経路５６側の開度（湯側の開度）を調整する。第１給湯経路６２には、混合弁３２から送り出される水の温度を検出する混合サーミスタ６４が取り付けられている。
【００２０】
タンクユニット６からは、第２給湯経路６６を介して、台所やシャワー、カラン等の給湯箇所への給湯が行われる。第２給湯経路６６には、給湯箇所へ供給される水の温度を検出する給湯出口サーミスタ６８と、逆止弁７０が取り付けられている。第１給湯経路６２と第２給湯経路６６の間は、給湯バイパス経路７２によって連通している。給湯バイパス経路７２には、バイパス制御弁３４が取り付けられている。
【００２１】
タンクユニット６はさらに、タンクコントローラ７４と、タンクコントローラ７４と通信可能なリモコン７６を備えている。タンクコントローラ７４は、タンクユニット６の各構成要素の動作を制御する。リモコン７６は、スイッチやボタン等を介して、ユーザからの各種の操作入力を受け入れる。また、リモコン７６は、表示や音声によってユーザに給湯システム２の設定や動作に関する各種の情報を通知する。
【００２２】
バーナユニット８は、バーナ８０と、熱交換器８２と、バイパスサーボ８４と、水量サーボ８６と、湯はり弁８８を備えている。バーナ８０は、ガスの燃焼によって熱交換器８２を流れる水を加熱する熱源である。熱交換器８２には、バーナ往路９０を介して、タンクユニット６の第１給湯経路６２からの水が流れ込む。熱交換器８２を通過した水は、バーナ復路９２を介して、タンクユニット６の第２給湯経路６６へ流れ出る。バーナ往路９０には、熱交換器８２へ流れ込む水の流量を調整する水量サーボ８６が取り付けられている。バーナ往路９０とバーナ復路９２の間は、バーナバイパス経路９４を介して連通している。バーナ往路９０とバーナバイパス経路９４の接続部に、バイパスサーボ８４が取り付けられている。バイパスサーボ８４は、バーナ往路９０からバーナバイパス経路９４へ流れる水の流量を調整する。バーナ復路９２には、熱交換器８２から流れ出る水の温度を検出するバーナ給湯サーミスタ９６が取り付けられている。バーナ復路９２からは、湯はり経路９８が分岐している。湯はり経路９８には、湯はり弁８８が取り付けられている。バーナユニット８からは、湯はり経路９８を介して、給湯箇所である浴槽への湯はりが行われる。バーナユニット８はさらに、バーナユニット８の各構成要素の動作を制御するバーナコントローラ１００を備えている。
【００２３】
ＨＰコントローラ２４とタンクコントローラ７４は、互いに通信可能である。タンクコントローラ７４とバーナコントローラ１００は、互いに通信可能である。従って、ＨＰコントローラ２４と、タンクコントローラ７４と、バーナコントローラ１００が協調して制御を行うことで、給湯システム２は沸上げ運転や給湯運転等の各種の動作を行うことができる。以下では、ＨＰコントローラ２４と、タンクコントローラ７４と、バーナコントローラ１００を総称して、単にコントローラとも呼ぶ。
【００２４】
以下では、給湯システム２が行う沸上げ運転および給湯運転について説明する。
【００２５】
沸上げ運転では、給湯システム２は、ＨＰユニット４を駆動して、タンク３０内の水を沸かし上げる。沸上げ運転を開始するタイミングは、様々な観点から設定することが可能である。例えば、割安な深夜電力を利用可能な時間帯が終了する直前に、タンク３０内の水の沸かし上げが終了するように、コントローラが沸上げ運転の開始タイミングを決定してもよい。あるいは、前日までの給湯実績に基づいて、大きな給湯需要の発生が予想される時刻の直前に、タンク３０の水の沸かし上げが終了するように、コントローラが沸上げ運転の開始タイミングを決定してもよい。あるいは、ユーザがリモコン７６を介してタンク３０の水の沸かし上げを指示することで、コントローラが沸上げ運転を開始してもよい。
【００２６】
沸上げ運転が開始されると、コントローラは、圧縮機１０を駆動して、圧縮機１０、凝縮器１２、膨張弁１４、蒸発器１６の順に冷媒を循環させるとともに、循環ポンプ１８を駆動して、タンク３０と凝縮器１２の間で水を循環させる。これによって、タンク３０の底部から吸い出された水は、凝縮器１２において沸上げ温度まで加熱されて、タンク３０の頂部に戻される。タンク３０内の水が全て沸上げ温度まで加熱された水で置き換えられると、コントローラは沸上げ運転を終了する。
【００２７】
給湯運転では、給湯設定温度の水を給湯箇所へ供給する。本実施例の給湯システム２では、例えば水側水量センサ５４で検出される水量と、湯側水量センサ６０で検出される水量を合算した水量（給湯水量）が、所定値以上となった場合に、給湯運転を開始する。
【００２８】
給湯運転が開始されると、コントローラは、タンク３０の上部サーミスタ３６で検出される温度が給湯設定温度以上であるか否かを判断する。上部サーミスタ３６で検出される温度が給湯設定温度以上の場合には、コントローラは、バーナ８０の燃焼運転を禁止するとともに、混合サーミスタ６４で検出される温度が給湯設定温度となるように、混合弁３２の開度を調整する。この場合、タンク３０の上部から供給される高温の水と、給水経路から供給される低温の水道水が、混合弁３２において給湯設定温度となるように混合されて、給湯箇所へ供給される。
【００２９】
タンク３０の上部サーミスタ３６で検出される温度が給湯設定温度を下回る場合には、コントローラは、バーナ８０の燃焼運転を許可するとともに、混合サーミスタ６４で検出される温度が、給湯設定温度よりもわずかに低い温度となるように、混合弁３２の開度を調整する。この場合、タンク３０の上部から供給される高温の水と、給水経路から供給される低温の水道水が、混合弁３２において混合された後、バーナ８０によって給湯設定温度まで加熱されて、給湯箇所へ供給される。
【００３０】
本実施例の給湯システム２では、例えば水側水量センサ５４で検出される水量と、湯側水量センサ６０で検出される水量を合算した水量（給湯水量）が、所定値を下回った場合に、給湯が終了したものと判断する。給湯が終了した場合、コントローラは、バーナ８０の燃焼運転を禁止して、給湯運転処理を終了する。
【００３１】
図２は、リモコン７６の外観を示している。リモコン７６は、表示パネル１０２を備えている。表示パネル１０２は、一例であるが、液晶パネルである。表示パネル１０２は、例えば、現在時刻、温水の設定温度（例えば給湯設定温度）、タンク３０の貯湯量などの、システム状態を表示することができる。本実施例の給湯システム２では、タンク３０の貯湯量が貯湯アイコン１０４によって表示されている。貯湯アイコン１０４は、上部インジケータ１１０と、上部インジケータ１１０の直下に配置された中間部インジケータ１１２と、中間部インジケータ１１２の直下に配置された下部インジケータ１１４と、上部インジケータ１１０、中間部インジケータ１１２および下部インジケータ１１４を囲む枠線１１６を備えている。
【００３２】
上部インジケータ１１０は、消灯時に、タンク３０の下部サーミスタの検出温度が３８℃以上となると、点灯する。また、上部インジケータ１１０は、点灯時に、タンク３０の下部サーミスタの検出温度が３６℃未満となると、消灯する。すなわち、上部インジケータ１１０の点灯は、タンク３０の貯湯量が３０リットル以上であることを意味している。
【００３３】
中間部インジケータ１１２は、消灯時に、タンク３０の中間部サーミスタの検出温度が３８℃以上となると、点灯する。また、中間部インジケータ１１２は、点灯時に、タンク３０の中間部サーミスタの検出温度が３６℃未満となると、消灯する。すなわち、中間部インジケータ１１２の点灯は、タンク３０の貯湯量が１２リットル以上であることを意味している。
【００３４】
下部インジケータ１１４は、消灯時に、タンク３０の上部サーミスタの検出温度が３８℃以上となると、点灯する。また、下部インジケータ１１４は、点灯時に、タンク３０の上部サーミスタの検出温度が３６℃未満となると、消灯する。すなわち、下部インジケータ１１４の点灯は、タンク３０の貯湯量が６リットル以上であることを意味している。
【００３５】
枠線１１６は、上部インジケータ１１０、中間部インジケータ１１２、下部インジケータ１１４の表示の状態に関わらず、常に点灯している。
【００３６】
本実施例の給湯システム２では、上部サーミスタ３６で検出される温度が基準温度以上の場合と、上部サーミスタ３６で検出される温度が基準温度未満の場合とで、貯湯アイコン１０４の表示態様を異なるものとする。基準温度は、給湯設定温度に基づいて特定される。基準温度は、例えば給湯設定温度そのものであってもよいし、給湯設定温度に所定温度（例えば２℃）を加えた温度であってもよい。上部サーミスタ３６で検出される温度が基準温度以上であれば、当面はバーナ８０の燃焼運転を行うことなく給湯設定温度で給湯を行うことが可能である。逆に、上部サーミスタ３６で検出される温度が基準温度未満であれば、給湯設定温度での給湯を行うためにバーナ８０の燃焼運転が必要となる。そこで、本実施例の給湯システム２では、上部サーミスタ３６で検出される温度が基準温度以上の場合に、貯湯アイコン１０４を第１の表示態様で表示し、上部サーミスタ３６で検出される温度が基準温度未満の場合に、貯湯アイコン１０４を第２の表示態様で表示する。これにより、ユーザは貯湯アイコン１０４の表示態様から、給湯システム２がバーナ８０の燃焼運転を行うことなく給湯可能であるか否かを把握することができる。
【００３７】
貯湯アイコン１０４の表示態様として、例えば、第１の表示態様では、上部インジケータ１１０、中間部インジケータ１１２および下部インジケータ１１４の点灯時の輝度または濃度を高くし、第２の表示態様では、上部インジケータ１１０、中間部インジケータ１１２および下部インジケータ１１４の点灯時の輝度または濃度を低くしてもよい。図３の（ａ）から（ｈ）は、この場合の貯湯アイコン１０４の表示態様を例示している。図３の（ａ）、（ｂ）、（ｃ）および（ｄ）は、上部サーミスタ３６で検出される温度が基準温度以上の場合の貯湯アイコン１０４の表示態様（第１の表示態様）を示している。図３の（ａ）は、タンク３０の貯湯量が３０リットル以上であり、上部インジケータ１１０、中間部インジケータ１１２および下部インジケータ１１４が点灯している場合を示している。図３の（ｂ）は、タンク３０の貯湯量が１２リットル以上３０リットル未満であり、上部インジケータ１１０が消灯し、中間部インジケータ１１２および下部インジケータ１１４が点灯している場合を示している。図３の（ｃ）は、タンク３０の貯湯量が６リットル以上１２リットル未満であり、上部インジケータ１１０および中間部インジケータ１１２が消灯し、下部インジケータ１１４が点灯している場合を示している。図３の（ｄ）は、タンク３０の貯湯量が６リットル未満であり、上部インジケータ１１０、中間部インジケータ１１２および下部インジケータ１１４が消灯している場合を示している。図３の（ｅ）、（ｆ）、（ｇ）および（ｈ）は、上部サーミスタ３６で検出される温度が基準温度未満の場合の貯湯アイコン１０４の表示態様（第２の表示態様）を示している。図３の（ｅ）、（ｆ）、（ｇ）および（ｈ）におけるタンク３０の貯湯量は、図３の（ａ）、（ｂ）、（ｃ）および（ｄ）におけるタンク３０の貯湯量と同じである。
【００３８】
あるいは、表示パネル１０２がカラー表示可能であれば、貯湯アイコン１０４の表示態様として、第１の表示態様では、上部インジケータ１１０、中間部インジケータ１１２および下部インジケータ１１４の点灯時に暖色（例えば赤色）によって表示し、第２の表示態様では、上部インジケータ１１０、中間部インジケータ１１２および下部インジケータ１１４の点灯時に寒色（例えば青色）によって表示してもよい。
【００３９】
あるいは、図４の（ａ）に示すように、第１の表示態様では、枠線１１６を実線で表示し、図４の（ｂ）に示すように、第２の表示態様では、枠線１１６を破線で表示してもよい。
【００４０】
あるいは、図５の（ａ）に示すように、第１の表示態様では、枠線１１６の近傍に「高温貯湯」という文字列を表示し、図５の（ｂ）に示すように、第２の表示態様では、枠線１１６の近傍に「低温貯湯」という文字列を表示してもよい。
【００４１】
なお、給湯運転においては、タンク３０の上部サーミスタ３６で検出される温度が基準温度以上であっても、バーナ８０の燃焼運転を開始するように構成する場合がある。仮に、タンク３０の高温の湯水を使いきってからバーナ８０の燃焼運転を開始すると、バーナユニット８の配管群が冷えてしまっている場合には、給湯温度が一時的に低下してしまう。これに対応するため、タンク３０にまだ少し高温の湯水が残っている時点からバーナ８０の燃焼運転を開始して、バーナユニット８の配管群をタンク３０からの湯水で暖めるようにすれば、タンク３０の湯切れが生じた時の給湯温度の低下を防ぐことができる。あるいは、前回の給湯運転からある程度の時間が経過した場合、バーナユニット８の配管群が冷えてしまっていることが想定されるので、タンク３０から供給できる湯水の温度が基準温度以上であっても、バーナ８０の燃焼運転を開始すれば、タンク３０からの湯水でバーナユニット８の配管群を暖めることができる。このような運転を行う場合、タンク３０の上部サーミスタ３６で検出される温度が基準温度以上であっても、バーナ８０の燃焼運転を開始する条件が満たされた場合には、貯湯アイコン１０４を、タンク３０の上部サーミスタ３６で検出される温度が基準温度未満の場合と同様の表示態様（すなわち第２の表示態様）で表示させてもよい。
【００４２】
例えば、給湯運転において、タンク３０の貯湯量が基準湯量（例えば１２リットル）よりも少ない場合、あるいは前回の給湯運転の終了からの経過時間が基準時間（例えば２０分）を超える場合には、上部サーミスタ３６で検出される温度が基準温度以上であっても、バーナ８０の燃焼運転を開始することがある。このような場合には、タンク３０の貯湯量が基準湯量よりも少ない場合、あるいは前回の給湯運転の終了からの経過時間が基準時間を超える場合には、上部サーミスタ３６で検出される温度が基準温度以上であっても、貯湯アイコン１０４を第２の表示態様で表示する。このような構成とすることによって、バーナ８０の燃焼運転の要否を貯湯アイコン１０４の表示態様に正確に反映させることができる。
【００４３】
なお、上記のような場合には、給湯システム２の環境温度に応じて、基準湯量や基準時間が変更されることがある。ここでいう環境温度は、例えば外気温度サーミスタ２３で検出される外気温度であってもよいし、入水サーミスタ４４で検出される給水温度であってもよい。例えば、環境温度が所定温度（例えば５℃）よりも低い場合に、基準湯量をより多い湯量（例えば３０リットル）とし、および／または、基準時間をより短い時間（例えば１０分）とすることで、バーナ８０の燃焼運転が適切なタイミングで開始される。このような場合に、環境温度に応じて変更された基準湯量および／または基準時間に基づいて、貯湯アイコン１０４の表示態様を特定することで、バーナ８０の燃焼運転の要否を貯湯アイコン１０４の表示態様に正確に反映させることができる。
【００４４】
以上のように、上記の実施例の給湯システム２は、湯水を加熱するＨＰユニット４（第１加熱源に相当する）と、ＨＰユニット４で加熱された湯水を貯留するタンク３０と、タンク３０から供給できる湯水の温度を取得する上部サーミスタ３６（湯温取得手段に相当する）と、タンク３０から給湯箇所へ送られる湯水を加熱するバーナユニット８（第２加熱源に相当する）と、タンク貯湯量を含むシステム状態を表示するリモコン７６（表示装置に相当する）を備えている。この給湯システム２では、タンク３０から供給できる湯水の温度が給湯設定温度に基づく基準温度よりも高い場合には、リモコン７６がシステム状態を第１の表示態様で表示し、タンク３０から供給できる湯水の温度が基準温度よりも低い場合には、リモコン７６がシステム状態を第２の表示態様で表示する。
【００４５】
上記の実施例の給湯システム２は、タンク貯湯量が基準湯量よりも少ない場合に、タンク３０から供給できる湯水の温度が基準温度よりも高い場合であっても、リモコン７６がシステム状態を第２の表示態様で表示するように構成することができる。
【００４６】
上記の実施例の給湯システム２は、前回の給湯終了からの経過時間が基準時間を超える場合に、タンク３０から供給できる湯水の温度が基準温度よりも高い場合であっても、リモコン７６がシステム状態を第２の表示態様で表示するように構成することができる。
【００４７】
上記の実施例の給湯システム２は、外気温度（環境温度に相当する）を取得する外気温度サーミスタ２３（環境温度取得手段に相当する）や、給水温度（環境温度に相当する）を取得する入水サーミスタ４４（環境温度取得手段に相当する）をさらに備えており、基準湯量および／または基準時間が、外気温度や給水温度に応じて変更されるように構成することができる。
【００４８】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００４９】
本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００５０】
２  給湯システム
４  ＨＰユニット
６  タンクユニット
８  バーナユニット
１０  圧縮機
１２  凝縮器
１４  膨張弁
１６  蒸発器
１８  循環ポンプ
２０  戻りサーミスタ
２２  往きサーミスタ
２３  外気温度サーミスタ
２４  ＨＰコントローラ
３０  タンク
３２  混合弁
３４  バイパス制御弁
３６  上部サーミスタ
３７  中間部サーミスタ
３８  下部サーミスタ
４０  給水経路
４２  減圧弁
４４  入水サーミスタ
４６  タンク給水経路
４８  タンクバイパス経路
５０，５２  逆止弁
５４  水側水量センサ
５６  タンク出湯経路
５８  逆止弁
６０  湯側水量センサ
６２  第１給湯経路
６４  混合サーミスタ
６６  第２給湯経路
６８  給湯出口サーミスタ
７０  逆止弁
７２  給湯バイパス経路
７４  タンクコントローラ
７６  リモコン
８０  バーナ
８２  熱交換器
８４  バイパスサーボ
８６  水量サーボ
８８  湯はり弁
９０  バーナ往路
９２  バーナ復路
９４  バーナバイパス経路
９６  バーナ給湯サーミスタ
９８  湯はり経路
１００  バーナコントローラ
１０２  表示パネル
１０４  貯湯アイコン
１１０  上部インジケータ
１１２  中間部インジケータ
１１４  下部インジケータ
１１６  枠線
【図１】
2015096775.tif 000003
【図２】
2015096775.tif 000004
【図３】
2015096775.tif 000005
【図４】
2015096775.tif 000006
【図５】
2015096775.tif 000007